(57)【特許請求の範囲】
【請求項１】
ユーザ機器が、マスタ・ネットワーク・ノード（２０）および二次ネットワーク・ノード（３０）と通信することができるように、デュアル接続性をサポートするワイヤレス通信ネットワーク内の二次ネットワーク・ノード（３０）において実行される方法であって、前記二次ネットワーク・ノード（３０）は、複数のセルをサポートしており、前記方法は、
前記二次ネットワーク・ノード（３０）において、特殊セルが所定の機能を提供するように、前記ユーザ機器についての前記特殊セルとして前記複数のセルのうちの１つの構成が、前記複数のセルのうちの別の１つに対して転送されるべきであると決定するステップと、
前記決定するステップに応じて、特殊セルにおける変更についての要求を前記マスタ・ネットワーク・ノード（２０）に向かって送信するステップと、
前記マスタ・ネットワーク・ノード（２０）から、二次ネットワーク・ノード修正要求または二次ネットワーク・ノード追加要求のうちの一方を受信するステップと、
を含み、
前記送信するステップは、前記変更についての要求において、少なくとも１つの候補セルのリストを送信するステップを含む、
方法。
【請求項２】
前記複数のセルのうちのどれが、特殊セルとして使用するために適切な候補セルになるかを決定するステップをさらに含む、請求項１に記載の方法。
【請求項３】
前記変更要求は、前記セルのうちの少なくともいくつかについての測定情報についての要求をさらに含む、請求項１または２に記載の方法。
【請求項４】
前記複数のセルのうちの少なくともいくつかについての測定情報についての要求を前記ネットワーク・ノードに向かって送信するステップをさらに含む、請求項１または２に記載の方法。
【請求項５】
前記マスタ・ネットワーク・ノード（２０）から前記測定情報を受信するステップと、
前記受信された測定情報に基づいて、前記セルのうちの１つを新しい特殊セルとして選択するステップと、
前記選択を前記マスタ・ネットワーク・ノード（２０）に向かって送信するステップと、
をさらに含む、請求項３または４に記載の方法。
【請求項６】
前記選択は、前記二次ネットワーク・ノードにおける前記特殊セルにおける変更についての標識として送信され、また二次ネットワーク・ノード修正要求の一部分として送信される、請求項５に記載の方法。
【請求項７】
前記測定情報は、二次ネットワーク・ノード修正要求の一部分として前記マスタ・ネットワーク・ノード（２０）から受信され、前記選択は、前記二次ネットワーク・ノード（３０）における前記特殊セルにおける変更についての標識として送信され、また前記二次ネットワーク・ノード修正要求に対する肯定応答の一部分として送信される、請求項５に記載の方法。
【請求項８】
前記マスタ・ネットワーク・ノード（２０）から二次ネットワーク・ノード追加要求を受信するステップであって、前記二次ネットワーク・ノード追加要求は、少なくとも１つのセルをサポートし、前記少なくとも１つのセルのうちの１つを新しい特殊セルとして指定する前記二次ネットワーク・ノード（３０）の追加を要求する、受信するステップと、
前記マスタ・ネットワーク・ノード（２０）に対して、前記追加要求に対する肯定応答の一部分として前記二次ネットワーク・ノード（３０）における前記特殊セルにおける変更についての標識を送信し、前記二次ネットワーク・ノードから前記ユーザ機器に関連したベアラを送信すること、または削除することをしないステップと、
をさらに含む、請求項１乃至５のいずれか１項に記載の方法。
【請求項９】
特殊セルとしてのセルの構成が、前記複数のセルのうちの別の１つに対して転送されるべきであると決定する前記ステップは、
前記特殊セルに対する大量のローディングを決定するステップと、
前記マスタ・ネットワーク・ノードから要求を受信するステップと、
前記マスタ・ネットワーク・ノードから受信される測定情報から前記特殊セルについての低いチャネル品質を決定するステップと、
のうちの少なくとも１つを含む、請求項１乃至８のいずれか１項に記載の方法。
【請求項１０】
ユーザ機器が、マスタ・ネットワーク・ノードおよび二次ネットワーク・ノードと通信することができるように、デュアル接続性をサポートするワイヤレス通信ネットワーク内のマスタ・ネットワーク・ノード（２０）において実行される方法であって、前記二次ネットワーク・ノードは、複数のセルをサポートしており、前記方法は、
特殊セルが所定の機能を提供するように特殊セルとして前記二次ネットワーク・ノードによってサポートされるセルの構成が、前記複数のセルのうちの別の１つに対して転送されるべきであることを示す変更要求を前記マスタ・ネットワーク・ノード（２０）において受信するステップと、
前記変更要求に応じて、前記二次ネットワーク・ノードに対して、二次ネットワーク・ノード修正要求または二次ネットワーク・ノード追加要求のうちの一方を送信するステップと、
無線リソース接続再構成要求を前記ユーザ機器に対して送信するステップと、
前記二次ネットワーク・ノードに対して、いつ再構成プロセスが完了するかを示すステップと、
を含み、
前記受信するステップは、前記変更要求において、少なくとも１つの候補セルのリストを受信するステップを含む、
方法。
【請求項１１】
前記無線リソース接続再構成要求を前記ユーザ機器に対して送信するステップに先立って、前記二次ネットワーク・ノードにおいて前記特殊セルとして指定されるセルにおける変更を示す無線リソース構成情報を前記マスタ・ネットワーク・ノードにおいて受信するステップをさらに含む、請求項１０に記載の方法。
【請求項１２】
前記無線リソース接続再構成要求は、
前記二次ネットワーク・ノードの解放および追加を要求する解放要求および追加要求であって、前記追加要求は、新しい特殊セルを識別するパラメータを含む、解放要求および追加要求と、
前記二次ネットワーク・ノードに関連したパラメータを修正するための二次ネットワーク・ノード修正要求であって、前記修正要求は、新しい特殊セルを識別するパラメータを含む、二次ネットワーク・ノード修正要求と、
のうちの一方を含む、請求項１１に記載の方法。
【請求項１３】
コンピュータによって実行されるときに、請求項１乃至１２のいずれか１項に記載の方法を実行するように前記コンピュータを制御するように動作可能な、コンピュータ・プログラム。
【請求項１４】
ユーザ機器（５０）が、マスタ・ネットワーク・ノード（２０）および二次ネットワーク・ノード（３０）と通信することができるように、デュアル接続性をサポートするワイヤレス通信ネットワーク内の二次ネットワーク・ノード（３０）として使用するためのネットワーク・ノードであって、前記ネットワーク・ノードは、複数のセルをサポートするように動作可能であり、前記ネットワーク・ノードは、
特殊セルが所定の機能を提供するように、前記ユーザ機器についての前記特殊セルとして前記複数のセルのうちの１つの構成が、前記複数のセルうちの別の１つに対して転送されるべきであると決定するように動作可能な決定ロジックと、
前記決定ロジックが、前記特殊セルが変更されるべきであると決定することに応じて、前記マスタ・ネットワーク・ノードに向かって特殊セルにおける変更についての要求を送信し、前記マスタ・ネットワーク・ノードから、二次ネットワーク・ノード修正要求または二次ネットワーク・ノード追加要求のうちの一方を受信するように動作可能な通信ロジックと、
を備え、
前記通信ロジックは、前記変更についての要求において、少なくとも１つの候補セルのリストを送信するように更に動作可能である、
ネットワーク・ノード。
【請求項１５】
ユーザ機器（５０）が、マスタ・ネットワーク・ノード（２０）および二次ネットワーク・ノード（３０）と通信することができるように、デュアル接続性をサポートするワイヤレス通信ネットワーク内のマスタ・ネットワーク・ノード（２０）として使用するためのネットワーク・ノードであって、前記二次ネットワーク・ノードは、複数のセルをサポートしており、前記ネットワーク・ノードは、
特殊セルが、所定の機能を制御するように前記特殊セルとして前記二次ネットワーク・ノードによってサポートされるセルの構成が、前記複数のセルのうちの別の１つに対して転送されるべきであることを示す変更要求を受信するように動作可能な受信ロジックと、
前記変更要求に応じて、前記二次ネットワーク・ノードに対して、二次ネットワーク・ノード修正要求と、二次ネットワーク・ノード追加要求とのうちの一方を送信するように動作可能な送信ロジックと、
を備えており、
前記受信ロジックは、前記二次ネットワーク・ノードにおける前記特殊セルとして構成されるセルにおける変更を示す無線リソース構成情報を受信するように動作可能であり、
前記送信ロジックは、前記無線リソース構成情報の受信に応じて、無線リソース接続再構成要求を前記ユーザ機器に対して送信し、前記二次ネットワーク・ノードに対して、いつ再構成プロセスが完了するかを示すように動作可能であり、
前記受信ロジックは、前記変更要求において、少なくとも１つの候補セルのリストを受信するように更に動作可能である、
ネットワーク・ノード。
【発明の詳細な説明】
【技術分野】
【０００１】
本発明の分野は、ワイヤレス通信ネットワークに関し、詳細には、ユーザ機器がマスタ・ネットワーク・ノードと二次ネットワーク・ノードと同時に通信することができるというデュアル接続性をサポートするワイヤレス通信ネットワークに関する。
【背景技術】
【０００２】
ユーザ機器が、複数のネットワーク・ノードによって提供される無線リソースを消費することができるというデュアル接続性が、知られている。ネットワーク・ノードのうちの１つは、マスタ・ネットワーク・ノードとして機能し、また、システム情報を送信し、接続性を取り扱い、ユーザ機器を用いてＲＲＣ無線リソース構成シグナリングを実行する制御プレーンシグナリングと一緒にデータ・プレーンシグナリングを実行する。その他のネットワーク・ノードは、二次ネットワーク・ノードであり、データ・プレーンにおいてユーザ機器と通信し、これを行うために必要とされる構成情報を、おそらくはバックホール・リンクを経由してマスタ・ネットワーク・ノードから受信する。このバックホール通信リンクは、それに関連するレーテンシーを有しており、それゆえに、肯定応答メッセージなど、データ送信に関連した制御シグナリングは、二次ネットワーク・ノード自体により、および二次ネットワーク・ノード自体に対して、直接送信されることが好ましい。したがって、これらの制御メッセージがユーザ機器から二次ネットワーク・ノードに対して直接送信されることを可能にする二次ネットワーク・ノードに対して、追加のＰＵＣＣＨ物理アップリンク制御チャネルが提供され得る。
【０００３】
二次ネットワーク・ノードが、いくつかのセルをサポートするいくつかのキャリアを有する場合には、この二次ネットワーク・ノードが通信しているＵＥについて、特定のセルが、このＵＥとの通信のためにＰＵＣＣＨを受信するように構成され得る。この制御チャネルを受信するように構成されたセルは、特殊セルと名付けられる。特殊セルからの信号品質が低下するという問題が、発生する可能性がある。
【０００４】
二次ネットワーク・ノードとの進行中のＵＥ通信を不当に中断することなしに、二次ネットワーク・ノードにおいて、特殊セルとして構成されているセルを変更することができることが望ましい。
【発明の概要】
【課題を解決するための手段】
【０００５】
本発明の第１の態様は、ユーザ機器が、マスタ・ネットワーク・ノード、および二次ネットワーク・ノードと通信することができるように、デュアル接続性をサポートするワイヤレス通信ネットワーク内の二次ネットワーク・ノードにおいて実行される方法であって、前記二次ネットワーク・ノードは、複数のセルをサポートしており、前記方法は、前記二次ネットワーク・ノードにおいて、特殊セルが所定の機能を提供するように、前記ユーザ機器についての前記特殊セルとして前記二次ネットワーク・ノードによってサポートされるセルの構成が、前記複数のセルのうちの別の１つに対して転送されるべきであると決定するステップと、前記決定するステップに応じて、特殊セルにおける変更についての要求を前記マスタ・ネットワーク・ノードに向かって送信するステップとを含む方法を提供している。
【０００６】
本発明は、二次ネットワーク・ノードによってサポートされるセルのうちの別のものが、ユーザ機器についての特殊セルになるように、特殊セル機能を提供されたセルを変更することが望ましいという状況が存在する可能性があることを認識している。本発明は、二次ネットワーク・ノードが、異なるセルのチャネル品質について制限された可視性を有すること、または可視性を有しないことがあり得るため、新しい特殊セルとして使用するためにどのセルを選択するかという問題が発生することも認識している。さらに、二次ネットワーク・ノードではなく、マスタ・ネットワーク・ノードが、ユーザ機器との接続の測定を制御しており、そのため、二次ネットワーク・ノードはそれ自体、マスタ・ネットワーク・ノードと通信することなしに、そのような変更を制御することができない。
【０００７】
現在では、異なるセルのチャネル信号品質レベルに関する情報を獲得するために、また接続の構成情報をアップデートするために、使用され得る二次ネットワーク・ノード変更プロシージャが存在している。しかしながら、このプロシージャは、ユーザ・プレーンの中断をもたらし、またマスタ・ネットワーク・ノードの制御下にある。
【０００８】
これらの問題は、それが特殊セルにおける変更があるべきであると決定するときに二次ネットワーク・ノードにより、マスタ・ネットワーク・ノードに対して送信される特殊セル変更要求の導入により、本発明によって対処されてきている。本発明は、マスタ・ネットワーク・ノードが、ユーザ機器との接続の構成を制御するだけでなく、チャネル品質に関するユーザ機器からの測定情報を受信することもあることを認識している。したがって、この追加の要求を提供することにより、測定情報に対するアクセス権と、ネットワーク・ノードとのユーザ機器の接続の構成の制御とを有するマスタ・ネットワーク・ノードは、現在の特殊セルを変更する要件について通知され、またそれに応じて動作することができる。
【０００９】
いくつかの実施形態においては、本方法は、前記複数のセルのうちのどれが、特殊セルとして使用するための適切な候補セルになるかを決定するステップと、前記変更要求において、少なくとも１つの候補セルについてのリストを送信するステップとをさらに含む。
【００１０】
いくつかの場合には、二次ネットワーク・ノードが、それがサポートする複数のセルのうちのどれが、ユーザ機器との通信のための特殊セルとして使用するための適切な候補セルになるかを決定し、変更要求によりこれらの候補セルのリストを送信することが望ましいこともある。
【００１１】
いくつかの実施形態においては、前記変更要求は、前記セルのうちの少なくともいくつかについての測定情報についての要求をさらに含んでいる。
【００１２】
上記で指摘しているように、これに関する測定情報が、マスタ・ネットワーク・ノードにおいてユーザ機器から受信されるので、二次ネットワーク・ノードは、それがサポートする様々なセルのチャネルのチャネル品質についての限られた可視性を有していることもあり、または実際には可視性がないこともある。特殊セルとしてどのセルを使用すべきかを決定するときに、この情報は、必要とされ、またそのようなものとして二次ネットワーク・ノードが、この決定を行う場合に、二次ネットワーク・ノードは、それが賢明な決定を行うべきである場合には、この情報を必要とするであろう。したがって、二次ネットワーク・ノードは、それらのセルのうちの少なくともいくつかについてのネットワーク・ノードに測定情報を要求することができる。二次ネットワーク・ノードが、変更要求において候補セルのリストを送信してきた場合には、二次ネットワーク・ノードは、これらのセルについての測定情報を要求することができる。なぜなら、これらは、二次ネットワーク・ノードが考慮しているセルであるからである。他の実施形態においては、二次ネットワーク・ノードは、セルのすべてについての測定情報を受信してもよい。
【００１３】
測定情報についての要求は、変更要求と共に送信されることもあるが、いくつかの実施形態においては、それは、他の時に、おそらく定期的に送信され、またこの場合には、要求される情報は、それらのセルのうちのすべてのため、またはそれらのセルのサブセットのためでもあり、あるいは要求される情報は、変更要求が差し迫っている、または予期される場合の候補セルのためである可能性がある。そのような場合には、そこでは二次ネットワーク・ノードは、変更要求を送信する前に、測定情報を有しており、次いで、いくつかの実施形態においては、二次ネットワーク・ノードは、変更要求を用いて、好ましい特殊セルを示すことができる。
【００１４】
これに関して、測定情報は、そのネットワーク・ノードによってサポートされるセルからの二次ネットワーク・ノードからユーザ機器が受信する信号品質に関する、ユーザ機器において測定される情報とすることができる。
【００１５】
いくつかの実施形態においては、本方法は、前記マスタ・ネットワーク・ノードから前記測定情報を受信するステップと、前記受信された測定情報に基づいて、前記セルのうちの１つを新しい特殊セルとして選択するステップと、前記選択を前記マスタ・ネットワーク・ノードに向かって送信するステップとをさらに含む。
【００１６】
いくつかの場合には、新しい特殊セルの選択は、二次ネットワーク・ノードが、マスタ・ネットワーク・ノードから受信する測定情報に応じて、二次ネットワーク・ノードの上で実行される。ひとたび二次ネットワーク・ノードがこの選択を行った後に、二次ネットワーク・ノードは、マスタ・ネットワーク・ノードが、ユーザ機器との接続の構成を制御するので、選択をマスタ・ネットワーク・ノードに対して送信する。このようにして、二次ネットワーク・ノードは、変更プロセスを制御しており、また好ましい特殊セルを選択することができる。二次ネットワーク・ノードが、異なるベンダによっておそらく供給される、知られていない特性を有する、知られていないマスタ・ネットワーク・ノードと通信している場合に、これは、有利である可能性がある。
【００１７】
特殊セル選択は、二次ネットワーク・ノード修正要求の一部分として送信されることもある。いくつかの実施形態においては、マスタ・ネットワーク・ノードは、変更要求に応じて測定情報を送信することができ、また二次ネットワーク・ノードは、この情報を使用して特殊セルを選択し、また特殊セル修正要求の一部分としてその選択を送信することができる。そのような要求は、二次ネットワーク・ノード修正プロシージャをトリガする。これに関しては、特殊セルにおける選択された変更は、修正要求内で送信される、特殊セルにおける変更を示すリソース再構成チャネル・コンテナの一部分として、二次ネットワーク・ノードによって送信されることもある。このようにして修正プロシージャを使用することは、ユーザ機器が、マスタ・ネットワーク・ノードを経由して、どのセルが、新しい特殊セルであるかについて、またアップリンク制御チャネルなど、このセルによってサポートされる機能が、どこに位置しているかを含めて、このセルについての構成情報について、通知されることを可能にする。
【００１８】
いくつかの実施形態においては、前記測定情報は、二次ネットワーク・ノード修正要求の一部分として前記マスタ・ネットワーク・ノードから受信され、前記選択は、前記二次ネットワーク・ノードにおける前記特殊セルにおける変更についての標識として送信され、また前記二次ネットワーク・ノード修正要求に対する肯定応答の一部分として送信される。
【００１９】
いくつかの場合には、特殊セル変更要求は、マスタ・ネットワーク・ノードによって起動される二次ネットワーク・ノード修正プロシージャをトリガすることができ、またこの場合には、測定情報は、このノードによって送信される二次ネットワーク・ノード修正要求の一部分としてマスタ・ネットワーク・ノードから受信されることもある。この場合には、特殊セルの選択は、二次ネットワーク・ノード修正要求に対する肯定応答の一部分として送信される。この場合にも、これは、ＲＲＣコンテナにおいて提供されることもあり、したがって、マスタ・ネットワーク・ノードによって使用されて、ユーザ機器との接続を再構成することができる。
【００２０】
いくつかの実施形態においては、本方法は、前記ネットワーク・ノードから二次ネットワーク・ノード追加要求を受信するステップであって、前記二次ネットワーク・ノード追加は、少なくとも１つのセルをサポートし、前記少なくとも１つのセルのうちの１つを前記特殊セルとして指定する前記二次ネットワーク・ノードの追加を要求する、受信するステップをさらに含む。
【００２１】
いくつかの場合には、ネットワーク・ノード修正プロシージャをトリガするのではなくて、変更要求の受信は、ネットワーク・ノード追加プロシージャを開始するようにマスタ・ネットワーク・ノードをトリガすることができる。これに関して、人が、二次ネットワーク・ノードがマスタ・ネットワーク・ノードから測定情報を受信し、またそれらのセルのうちの１つを特殊セルとして選択し、またこの選択をマスタ・ネットワーク・ノードに対して送信するという一実施形態を有する場合に、このポイントにおいて、マスタ・ネットワーク・ノードは、二次ネットワーク・ノード追加プロシージャ、または二次ネットワーク・ノード修正プロシージャのいずれかをトリガすることを選択することができる。二次ネットワーク・ノード追加プロシージャの場合に、次いで、二次ネットワーク・ノードが解放要求および追加要求を受信し、またそれがサポートする１つまたは複数のセルの上で情報を用いて応答し、これらのうちの１つは、新しい特殊セルとして指定されるであろう。マスタ・ネットワーク・ノードは、特殊セルを選択してきている可能性があり、あるいはマスタ・ネットワーク・ノードは、変更要求を用いて、またはユーザ機器測定情報の送信を含む以下の何らかの他のシグナリングを用いてのいずれかで、二次ネットワーク・ノードから選択を受信してきている可能性がある。これに関して、二次ネットワーク・ノードは、この追加要求が、それが既に構成されているユーザ機器のためであることを知ることになり、そのようにして二次ネットワーク・ノードは、そのユーザ機器と通信するベアラを保持することになり、またデータ・プレーン接続は、失われないことになるが、しかしながら、二次ネットワーク・ノードは、新しい特殊セルの機能をそのセルに対して転送するであろう。二次ネットワーク・ノードはまた、追加要求肯定応答においてマスタ・ネットワーク・ノードに対してそのセルに関する構成情報を送信するであろう。
【００２２】
いくつかの場合には、追加要求によって指定される特殊セルは、二次ネットワーク・ノードによって選択されてきているが、他の場合には、特殊セルは、マスタ・ネットワーク・ノードによって選択されてきている。マスタ・ネットワーク・ノードがセルを選択してきている場合に、マスタ・ネットワーク・ノードは、特殊セル変更要求を提供されてきている候補セルのリストから、またおそらくマスタ・ネットワーク・ノードがアクセス権を有するユーザ機器からの測定情報を調べることにより、そのように行ってきている可能性がある。いずれの場合においても、追加プロシージャはトリガされ、また二次ネットワーク・ノードは、新しい特殊セルとして、二次ネットワーク・ノードによってサポートされるそれらのセルのうちの１つを示す追加要求を受信する。
【００２３】
いくつかの実施形態においては、本方法は、前記マスタ・ネットワーク・ノードに対して前記追加要求に対する肯定応答の一部分として前記二次ネットワーク・ノードにおける前記特殊セルにおける変更についての標識を送信するステップをさらに含んでいる。
【００２４】
追加要求は肯定応答され、またこの肯定応答の一部分として、二次ネットワーク・ノードにおける特殊セルの変更における標識が、提供される。これは、おそらくこの情報を提供するＲＲＣコンテナの形態における、このセルについての構成情報の形態をとることができる。
【００２５】
いくつかの実施形態においては、前記二次ネットワーク・ノードにおける前記特殊セルにおける変更についての標識を送信するステップに追加して、前記二次ネットワーク・ノードは、二次ネットワーク・ノードからユーザ機器に関連したベアラを転送または削除することはない。
【００２６】
一般に、解放要求によって先行される、ネットワーク・ノードにおける追加要求の受信は、ネットワーク・ノードからのベアラの転送／削除、および経路スイッチに関連したシグナリング、またはこれらの変更プロシージャに関連するデータ転送をトリガする。しかしながら、追加要求が、それらのプロシージャが実行されるべきでないことを明示的に示すという理由、または二次ネットワーク・ノードが、二次ネットワーク・ノードは追加要求に関連したユーザ機器のために既に構成されていると決定するという理由のいずれかで、二次ネットワーク・ノードは、追加要求に応じてこれらのプロシージャを実行しないように構成されている。
【００２７】
いくつかの実施形態においては、前記複数のセルは、二次ネットワーク・ノードによってサポートされ、ＵＥについて構成された少なくとも１つのセルを含む特殊セル・グループを含んでおり、前記特殊セルは、セル・グループの前記グループからの前記セルのうちの１つを備えている。
【００２８】
二次ネットワーク・ノードによってサポートされる１つまたは複数のセルは、ＵＥについて構成され、ＳＣＧセルと名付けられ得る。特殊セルは、これらのセルのうちの１つとするべきであり、１つしか存在しない場合には、このセルが特殊セルとなるべきである。しかしながら、複数存在する場合には、特殊セルは、１つのＳＣＧセルから別のＳＣＧセルへと変更され得る。
【００２９】
いくつかの実施形態においては、特殊セルとしてのセルの構成が、前記複数のセルのうちの別の１つに対して転送されるべきであると決定する前記ステップは、前記特殊セルに対する大量のローディングを決定するステップと、前記マスタ・ネットワーク・ノードから要求を受信するステップと、前記マスタ・ネットワーク・ノードから受信される測定情報から前記特殊セルについての低いチャネル品質を決定するステップとのうちの少なくとも１つを含む。
【００３０】
何故二次ネットワーク・ノードは特殊セルが変更されるべきであると決定することができるか、という点についての様々な理由が存在する。これらは、その特定の特殊セルに対する大量のローディング、マスタ・ネットワーク・ノードから要求を受信すること、または特殊セルについての低いチャネル品質を決定することを含むことができる。後者は、一般に、マスタ・ネットワーク・ノードから受信される測定情報から行われるであろう。
【００３１】
本発明の第２の態様は、ユーザ機器が、マスタ・ネットワーク・ノードおよび二次ネットワーク・ノードと通信することができるように、デュアル接続性をサポートするワイヤレス通信ネットワーク内のマスタ・ネットワーク・ノードにおいて実行される方法であって、前記二次ネットワーク・ノードは、複数のセルをサポートしており、前記方法は、特殊セルが所定の機能を提供するように特殊セルとして前記二次ネットワーク・ノードによってサポートされるセルの構成が、前記複数のセルのうちの別の１つに対して転送されるべきであることを示す変更要求を前記マスタ・ネットワーク・ノードにおいて受信するステップと、前記変更要求に応じて、前記二次ネットワーク・ノードに対して、二次ネットワーク・ノード修正要求または二次ネットワーク・ノード追加要求のうちの一方を送信するステップと、無線リソース接続再構成要求を前記ユーザ機器に対して送信するステップと、前記二次ネットワーク・ノードに対して、いつ再構成プロセスが完了するかを示すステップとを含む方法を提供する。
【００３２】
デュアル接続性を用いて動作するマスタ・ネットワーク・ノードは、ユーザ機器との接続を制御し、マスタ・ネットワーク・ノードが、特殊セルにおける変更を示す変更要求を二次ネットワーク・ノードから受信する場合、これはそれをトリガして、二次ネットワーク・ノード修正要求または二次ネットワーク追加要求のいずれかを送信することができる。これに関して、いずれかのプロシージャは、特殊セルにおける必要とされる変更を提供することができる。ひとたびそのような要求が送信された後に、特殊セルが変更されてきていることを示すインジケータが、マスタ・ネットワーク・ノードにおいて受信されることになり、またこれは、特殊セルの新しい構成を示すＲＲＣ情報の形態である可能性がある。マスタ・ネットワーク・ノードは、次いで、無線リソース接続再構成要求をユーザ機器に対して送信することにより、これについてユーザ機器に通知することになり、またいつこの再構成プロセスが完了するかを二次ネットワーク・ノードに示すことになる。
【００３３】
いくつかの実施形態においては、本方法は、前記無線リソース接続再構成要求を前記ユーザ機器に対して送信するステップに先立って、前記二次ネットワーク・ノードにおいて前記特殊セルとして指定されるセルにおける変更を示す無線リソース構成情報を前記マスタ・ネットワーク・ノードにおいて受信するステップをさらに含んでいる。
【００３４】
変更についての無線リソース構成情報は、二次ネットワーク・ノードから受信されることもある。これは、追加要求または修正要求の肯定応答を用いて、または変更要求の一部分としてのいずれかにすることができる。
【００３５】
いくつかの実施形態においては、前記無線リソース接続再構成要求は、前記二次ネットワーク・ノードの解放および追加を要求する解放要求および追加要求として送信され、前記追加要求は、新しい特殊セルを識別するパラメータを含んでいる。
【００３６】
マスタ・ネットワーク・ノードが二次ネットワーク・ノード追加プロシージャをトリガする場合には、無線リソース再接続再構成要求は、解放要求および追加要求として送信される。これに関して、二次ネットワーク・ノードは、それが、ユーザ機器が追加されるための構成情報を有することを認識するので、二次ネットワーク・ノードは、このＵＥについてのベアラを解放しないが、もっと正確に言えば、追加要求に対する肯定応答を使用して、新しい特殊セルについての構成情報を送信する。このようにして、構成パラメータは、アップデートされ、また新しい特殊セルは、識別される可能性がある。これは、接続性を喪失することなしに、行われる可能性がある。
【００３７】
いくつかの実施形態においては、前記無線リソース再構成要求は、前記二次ネットワーク・ノードに関連したパラメータを修正するための二次ネットワーク・ノード修正要求を含んでおり、前記修正要求は、新しい特殊セルを識別するパラメータを含んでいる。
【００３８】
マスタ・ネットワーク・ノードがネットワーク・ノード修正プロシージャを選択した場合、マスタ・ネットワーク・ノードは、無線リソース再構成要求を、二次ネットワーク・ノードに関連した修正されたパラメータを含む二次ネットワーク・ノード修正要求として送信し、また新しい特殊セルを識別するパラメータを含むことになり、特殊セルが、接続性を喪失することなしに、アップデートされることを可能にしている。
【００３９】
第３の態様は、本発明の第１の態様、または本発明の第２の態様による方法を実行するように、コンピュータを制御するように動作可能なコンピュータ・プログラムを備えている。
【００４０】
本発明の第４の態様は、ユーザ機器が、マスタ・ネットワーク・ノードおよび二次ネットワーク・ノードと通信することができるように、デュアル接続性をサポートするワイヤレス通信ネットワーク内の二次ネットワーク・ノードとして使用するためのネットワーク・ノードであって、前記ネットワーク・ノードは、複数のセルをサポートするように動作可能であり、前記ネットワーク・ノードは、特殊セルが所定の機能を提供するように、前記ユーザ機器についての前記特殊セルとして前記複数のセルのうちの１つの指定が、前記複数のセルうちの別の１つに対して転送されるべきであると決定するように動作可能な決定ロジックと、前記決定ロジックが、前記特殊セルが変更されるべきであると決定することに応じて、前記マスタ・ネットワーク・ノードに向かって特殊セルにおける変更についての要求を送信するように動作可能な通信ロジックと、を備えている、ネットワーク・ノードを提供している。
【００４１】
本発明の第５の態様は、ユーザ機器が、マスタ・ネットワーク・ノードおよび二次ネットワーク・ノードと通信することができるように、デュアル接続性をサポートするワイヤレス通信ネットワーク内のマスタ・ネットワーク・ノードとして使用するためのネットワーク・ノードであって、前記二次ネットワーク・ノードは、複数のセルをサポートしており、前記ネットワーク・ノードは、特殊セルが、所定の機能を提供するように特殊セルとして前記二次ネットワーク・ノードによってサポートされるセルの指定が、前記複数のセルのうちの別の１つに対して転送されるべきであることを示す変更要求を受信するように動作可能な受信ロジックと、前記変更要求に応じて、前記二次ネットワーク・ノードに対して、二次ネットワーク・ノード修正要求と、二次ネットワーク・ノード追加要求とのうちの一方を送信するように動作可能な送信ロジックとを備えており、前記受信ロジックは、前記二次ネットワーク・ノードにおける前記特殊セルとして指定されるセルにおける変更を示す無線リソース構成情報を受信するように動作可能であり、前記送信ロジックは、前記無線リソース構成情報の受信に応じて、無線リソース接続再構成要求を前記ユーザ機器に対して送信し、前記二次ネットワーク・ノードに対して、いつ再構成プロセスが完了するかを示すように動作可能である、ネットワーク・ノードを提供している。
【００４２】
さらなる特定の態様および好ましい態様は、添付の独立請求項および従属請求項において提示される。従属請求項の特徴は、必要に応じて独立請求項の特徴と組み合わされても、特許請求の範囲において明示的に提示される組合せ以外の組合せで組み合わされてもよい。
【００４３】
装置の特徴が、機能を提供するように動作可能であるように説明される場合に、これは、その機能を提供し、またはその機能を提供するように適合もしくは構成される装置の特徴を含むことが、理解されるであろう。
【００４４】
本発明の実施形態が、次に、例として、添付図面を参照してさらに説明されるであろう。
【図面の簡単な説明】
【００４５】
【図１】特殊セル変更シナリオを示す図である。
【図２】ＳｅＮＢによって起動されるＳｅＮＢ修正プロシージャを使用した特殊セル変更を示す図である。
【図３】ＭｅＮＢによって起動されるＳｅＮＢ修正プロシージャを使用した特殊セル変更を示す図である。
【図４】ＳｅＮＢ変更プロシージャを使用した特殊セル変更を示す図である。
【図５】代替的なＳｅＮＢ変更プロシージャを使用した特殊セル変更を示す図である。
【図６】マクロ・マスタ・ネットワーク・ノードと、複数のスモール・セルを備えている二次ネットワーク・ノードとを示す図である。
【発明を実施するための形態】
【００４６】
より詳細に例示の実施形態を考察する前に、概説が、提供されるであろう。
【００４７】
ユーザ機器が、同時に２つのネットワーク・ノードの無線リソースを用いて通信し、また無線リソースを消費する場合のデュアル接続性は、３ＧＰＰにおいて規格化されてきている。デュアル接続性は、ＵＥが、マスタ（ＭｅＮＢ）と、二次ｅＮＢ（ＳｅＮＢ）とに同時に接続することを必要とする。ＳｅＮＢには特殊セルが存在しており、この特殊セルは、ＰＵＣＣＨリソースなど、特定の機能を担当している。
【００４８】
３ＧＰＰにおける現在の合意のように、特殊セル変更は、ＳｅＮＢ次第である。例えば、２つ以上の二次Ｓセル（ＳＣｅｌｌｓ）が、特定のユーザ機器についてのＳｅＮＢのために構成されている場合に、ＳｅＮＢは、Ｓセルのうちの１つを特殊セルであるように構成することができる。同様にＳｅＮＢは、特殊セルを別の構成されたＳセルに変更することができる。ＳｅＮＢが特殊セル変更決定を行うために、対応するＳセルのチャネル品質情報が、ＳｅＮＢにおいて必要とされる。構成されたＳセルでは、チャネル品質情報は、ＳｅＮＢにおいて使用可能である。
【００４９】
しかしながら、ＳｅＮＢが特殊セルを同じＳｅＮＢに属する非構成化セルに変更する必要がある状況が、存在している。これは、ＳｅＮＢが、例えば、ＵＥ能力制限に起因して１つのセルを用いてただ構成されている場合の典型的なシナリオである。上記シナリオにおいては、３ＧＰＰにおける現在の合意のように、非構成化セルについてのチャネル品質情報は、ＳｅＮＢにおいて使用可能ではない。それゆえに、ＳｅＮＢは、特殊セルの変更についての正しい決定を行うことができず、このようにしてＵＥに対するサービス中断をもたらしている。
【００５０】
ＳｅＮＢに対する進行中のＵＥ通信を中断することなしに、特殊セルを同じＳｅＮＢの非構成化セルに変更する方法を提供することが、望ましいであろう。
【００５１】
１つの使用可能な問題解決手法は、ＳｅＮＢ変更プロシージャに従うことであり、ここでは、ＳｅＮＢは、マスタ・ネットワーク・ノードの制御の下で変更され、また構成情報はアップデートされ、新しい特殊セルが構成されることを可能にしている。全体の変更プロシージャは、同じｅＮＢが、ＳｅＮＢ変更の前および後に、必要とされるので、不必要であり、またこれは、ユーザ・プレーンの中断をもたらすであろう。さらに、ＳｅＮＢがその無線リソースを担当することを可能にすること、および独立したＳｅＮＢオペレーションを提供することは、ベンダ間インターオペラビリティ展開シナリオにおいては、役に立つ可能性があり、ここでは、１つのベンダからのスモール・セルが、別のベンダのマクロ・ネットワークにおいて提供される。
【００５２】
要約すると、上記の問題は、以下のうちの少なくとも１つによって対処される可能性がある。
１）．  ＳｅＮＢは、特殊セル変更を担当しており、また特殊セルについていつ、またどのセルが、変化するかについて要求し／決定する。
２）．  ＳｅＮＢは、特殊セル変更の要求／決定についてＭｅＮＢに通知する。
３）．  さらに、ＳｅＮＢは、候補特殊セルのリストについての測定情報についてＭｅＮＢに要求することができる。これは、（前または任意の時刻における）特殊セル変更要求に関連して、または特殊セル変更要求とは独立して起こる可能性がある。
４）．  ＭｅＮＢは、ＳｅＮＢ要求に基づいて動作する。
【００５３】
デュアル接続性の概念によれば、ＵＬ  ＰＵＣＣＨリソースの制御やＳｅＮＢの上で行われるＰＲＡＣＨプロシージャのためのＤＬ  ＲＡＲ（ランダム・アクセス要求）送信など、いくつかの一次Ｐセル（ＰＣｅｌｌ）のような機能を用いて構成されるＳｅＮＢの１つの特殊セルが、存在している。ＳｅＮＢの特殊セルは、ＳＣＧ（二次セル・グループ）が構成されている間、常にアクティブである。特殊セルは、過負荷状況や悪い無線状況など、様々な理由に起因して変更される可能性がある。
【００５４】
１つのＳＣＧセルだけがＵＥのために構成されている場合、そのセルは、特殊セルである。しかしながら、複数のＳＣＧ二次ＳセルがＵＥのために構成されているときに、特殊セルは、１つのＳＣＧセルから別のものへと変更される可能性がある。１つの構成されたＳセルから別のものへの特殊セル変更のためのプロシージャは、特殊セル変更プロシージャと称される。
【００５５】
特殊ＳＣＧセル変更についての別のシナリオは、ＵＥが、ＳｅＮＢに属するただ１つのＳＣＧセルを用いて構成されており、またＵＥが、同じＳｅＮＢの別のセルを用いて再構成されるべきであることである。たとえＵＥについてのＳｅＮＢの他の適切なセルが存在しているとしても、ＳＣＧは、ただ１つのセルを用いて構成されていることも可能である。しかしながら、ＵＥの能力は、ＳＣＧセルの数について構成を制限する可能性がある。特殊ＳＣＧセル変更がトリガされるときに、ネットワークは、特殊ＳＣＧセルを特殊セル変更に先立ってＵＥのために構成されなかったＳｅＮＢの別のセルへと変更する必要がある可能性がある。同じＳｅＮＢが、特殊セル変更の前および後に必要とされることを考慮すると、これは、特殊ＳＣＧセル変更プロシージャと称されることもある。ＳｅＮＢは、そのＰＵＣＣＨ負荷に起因して、またはＲＲＭ（無線リソース管理）決定に基づいて、特殊ＳＣＧセルの変更をトリガすることができる。特殊セル変更シナリオが、図１に示されている。シナリオＡ）は、特殊セルが、ＳｅＮＢの別の構成されたセルに変化する場合である。シナリオＢ）は、特殊セルが、ＳｅＮＢの非構成化セルに変更される場合である。
【００５６】
特殊ＳＣＧセル変更がトリガされるときに、適切に特殊セルを選択するために、すなわち、よいチャネル品質を有するセルを選択するために、ＳｅＮＢが、対応するＳｅＮＢセルについての測定報告を有することは、有用である。
【００５７】
第１の実施形態による特殊セル変更プロシージャが、図２および３に示されている。ＳｅＮＢは、特殊セル変更についての決定を行う。その決定は、ＭｅＮＢに対して通信され、ＳｅＮＢが候補特殊セルの最新の測定情報を有していない場合のシナリオにおいて、ＳｅＮＢは、ＭｅＮＢに対するメッセージの中に候補特殊セルのリストを含むことができる。特殊セルの変更についてのＳｅＮＢ決定を示す要求メッセージの受信のすぐ後に、ＭｅＮＢは、特殊セルの変更を支援する際に、２つのアプローチに従うことができる。
【００５８】
図２に示されるアプローチ１においては、ＭｅＮＢは、ＳｅＮＢに対して候補特殊セルについての要求された測定情報を提供する。セル測定結果を考慮に入れた後に、ＳｅＮＢは、新しい特殊セルを選択する。これにより、選択は、このノードが別のベンダのネットワーク内にある場合に有利である二次ネットワーク・ノードの制御下にあることができるようになる。
【００５９】
次いで、ＳｅＮＢは、ＳｅＮＢによって起動されるＳｅＮＢ修正プロシージャを経由して、特殊セル変更に対応する新しい構成についてＵＥに通知することができる。ＳｅＮＢによって起動されるＳｅＮＢ修正プロシージャによれば、ＳｅＮＢは、ＭｅＮＢを経由してＵＥに対して新しいＳｅＮＢ無線構成を提供し、新しい無線構成は、ＳｅＮＢからＭｅＮＢへとＲＲＣコンテナにおいて送信される。ＭｅＮＢは、ＲＲＣ接続再構成（ＲＲＣＣｏｎｎｅｃｔｉｏｎＲｅｃｏｎｆｉｇｕｒａｔｉｏｎ）メッセージの上でＵＥに対して新しいＲＲＣ構成を信号で伝える。
【００６０】
ＭｅＮＢによる、ＵＥに対する特殊セル変更について信号で伝えるための別のアプローチにおいては、特殊セル変更の再構成は、同じ二次ネットワーク・ノードの特別な削除と追加とによって行われる可能性があり、特別な削除プロセスと追加プロセスとは、二次ネットワーク・ノードからのベアラの転送をもたらさない１つの単一プロシージャの一部分として行われる。メッセージの新しいＳｅＮＢ構成部分は、ＲＲＣコンテナにおいてＳｅＮＢによって提供されるが、メッセージのＳｅＮＢ部分の解放は、ＭｅＮＢによって生成される。
【００６１】
新しい構成を適用するとすぐに、ＵＥは、ＲＲＣ接続再構成完了（ＲＲＣＣｏｎｎｅｃｔｉｏｎＲｅｃｏｎｆｉｇｕｒａｔｉｏｎＣｏｍｐｌｅｔｅ）メッセージをＭｅＮＢに対して送信する。ＭｅＮＢは、ＲＲＣ接続再構成完了情報をＳｅＮＢに対して転送する。ＵＥは、ランダム・アクセス・プロシージャを実行することにより、新しい無線構成を有するＳｅＮＢに対するＵＬアップリンク同期を獲得する。
【００６２】
図３に示されるアプローチ２においては、特殊セルと候補特殊セルとを変更するＳｅＮＢ決定を含むＳｅＮＢメッセージの受信のすぐ後に、ＭｅＮＢは、ＭｅＮＢによって起動されるＳｅＮＢ修正プロシージャを使用して特殊セル変更を起動する。ＭｅＮＢは、ＳｅＮＢの候補特殊セル、および／またはすべての構成されたセルの測定情報と一緒に、ＳｅＮＢに対してＳｅＮＢ修正要求を送信する。ＳｅＮＢは、新しい特殊セルに対応している無線構成パラメータを含むＳｅＮＢ修正要求肯定応答を用いて応答する。ＭｅＮＢは、アプローチ１と同様に、ＵＥに向かってＲＲＣ接続再構成を実行する。ＲＲＣ接続再構成完了（ＲＲＣＣｏｎｎｅｃｔｉｏｎＲｅｃｏｎｆｉｇｕｒａｔｉｏｎＣｏｍｐｌｅｔｅ）メッセージの受信のすぐ後に、ＭｅＮＢは、ＳｅＮＢに対してＳｅＮＢ修正完了メッセージを転送する。
【００６３】
第２の実施形態による特殊セル変更プロシージャは、図４および５に示されている。図４の実施形態においては、ＳｅＮＢは、特殊セルを変更する決定を行い、また選択された、または候補の特殊セル・リストをＭｅＮＢに提供する。メッセージの受信のすぐ後に、ＭｅＮＢは、ＳｅＮＢ変更プロシージャを使用して、特殊セル変更を実行する。ＭｅＮＢは、測定リストから選択されるＳセルとしての選択された特殊セルと一緒にＳｅＮＢ追加要求を送信することにより、ＳｅＮＢ変更プロシージャを起動する。それゆえに、この場合には、選択は、ＭｅＮＢによって実行される。ＳｅＮＢは、選択されたセルを特殊セルとして構成し、またＵＥについてのＳｅＮＢ構成を実行する。ＳｅＮＢが、ＵＥについて以前に構成されていたので、ＵＥコンテキストは、ＳｅＮＢにおいて使用可能であることに注意すべきである。ＳｅＮＢは、ＳｅＮＢ内変更プロシージャについての標識と同じＵＥについてのＳｅＮＢ追加要求の受信を解釈する。それゆえに、ＳｅＮＢからのベアラの転送／削除、経路スイッチに関連したシグナリング、またはＳｅＮＢ間変更プロシージャに関連しているデータ転送は、ＳｅＮＢによって実行されない。
【００６４】
上記で説明されるようなＳｅＮＢ内変更についての暗黙の標識の代わりに、一実施形態においては、ＳｅＮＢ内変更についてのＭｅＮＢからの明示的な標識が提供される。このようにして、ＳｅＮＢ追加要求メッセージはまた、ＳｅＮＢ内変更標識を搬送する。上記の暗黙の標識に基づいたプロシージャと同様に、ＳｅＮＢからのベアラの転送／削除、経路スイッチに関連したシグナリング、またはＳｅＮＢ間変更プロシージャに関連しているデータ転送は、ＳｅＮＢによって実行されない。
【００６５】
この第２の実施形態の別の変形形態が、図５に示されている。この場合には、候補特殊セルについての測定情報が、どれが特殊セルであるべきかについての決定に先立って、ＳｅＮＢによって要求される。代わりに、ＭｅＮＢは、定期的に、またはいくつかのイベントに基づいて、測定報告をＳｅＮＢに対して提供することもできる。ＳｅＮＢは、この情報を使用して、前もって新しい特殊セルについて決定することができる。
【００６６】
ＭｅＮＢは、上記で考察されるように、ＳｅＮＢ変更プロシージャを実行して、ＳｅＮＢによって要求されるように、特殊セルを変更する。
【００６７】
図５に示される実施形態においては、マスタ・ネットワーク・ノードは、特殊セル変更要求に応じて、測定情報を二次ネットワーク・ノードに対して送信し、またＳｅＮＢは、特殊セルについての決定を行い、またその決定についてＭｅＮＢに通知する。このポイントにおいて、ＭｅＮＢは、どれについてそれが既に構成されているのかについてＵＥについてであることを認識するＳｅＮＢに対して追加要求を送信することによるか、または図２および３の実施形態の後者の部分において実行されるように、二次セルについての新しい再構成に関する情報を用いてＲＲＣ接続再構成要求（ＲＲＣｃｏｎｎｅｃｔｉｏｎＲｅｃｏｎｆｉｇｕｒａｔｉｏｎＲｅｑｕｅｓｔ）をＵＥに対して送信することによるかのいずれかにより、図４および５に示されるセル変更プロシージャなどのセル変更プロシージャを使用して、変更を実装することができる。
【００６８】
図２から５に示されるこれらの実施形態に対する代替的な実施形態においては、二次ネットワーク・ノードが、測定情報が送信されることを必要とせずに、特殊セルそれ自体を選択する場合のいくつかの出来事が、存在することもある。これは、例えば、スイッチについての決定が、地理的セル・エリアの知識など、他を考慮して行われる場合、または何らかの測定情報が、二次ネットワーク・ノードにおいて、既に使用可能である場合とすることができる。そのような場合には、要求信号は、選択された特殊セルの詳細を提供するＲＲＣコンテナを用いて、二次ネットワーク・ノードによって送信される。これは、測定情報が送信される必要と、二次ネットワーク・セルがＲＲＣコンテナを用いて応答する必要とを回避し、このようにして、図２から５の方法におけるこれらのステップは、これらの特定の場合に省略される可能性がある。
【００６９】
図６は、マクロ・ネットワーク・ノードであり、またユーザ機器５０に接続され、また接続性を構成するＲＲＣシグナリングがそれらの間で実行されるように、接続をコントロールするマスタ・ネットワーク・ノードＭｅＮＢ２０を概略的に示すものである。ユーザ機器５０のための二次ネットワーク・ノードＳｅＮＢとして動作し、またデータを送信し、またユーザ機器５０からデータを受信することができるスモール・ネットワーク・ノード３０もまた、存在している。この接続を可能にする構成情報は、バックホール・リンクを経由して二次ネットワーク・ノード３０と通信するマスタ・ネットワーク・ノード２０によって制御される。ネットワーク・ノード３０は、異なるキャリア周波数ｃ１、ｃ２およびｃ３を用いて複数のセルをサポートする。これらのうちの１つｃ１は、ＵＥ５０との接続のための特殊セルとして構成されており、またＰＵＣＣＨ物理アップリンク制御チャネルにより、この実施形態において提供されるデータ接続のためのアップリンク制御リソースを制御している。ＳｅＮＢ３０が、セルｃ１のローディングが高くなりつつあると決定する場合に、それは、特殊セルとして構成されているセルを変更したいと望む可能性がある。このために、ＳｅＮＢ３０は、特殊セル変更要求をマスタ・ネットワーク・ノード２０に対して送信し、またこれに応じて、マスタ・ネットワーク・ノード２０は、図２から５に示されるようにセルの修正または追加のプロシージャをトリガし、このプロシージャは、それが、二次ネットワーク・ノード３０から新しい特殊セルに関する構成情報を取り出し、またこの情報をユーザ機器に対して送信することを可能にする。このようにして、接続は、ＰＵＣＣＨリソースの制御がＵＥ５０に接続するためのセルｃ２またはｃ３のうちの異なる１つに転送されるように、構成されている。
【００７０】
当業者なら、様々な上記で説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読み取り可能、またはコンピュータ読み取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読み取り可能なデジタル・データ・ストレージ媒体とすることができる。それらの実施形態はまた、上記で説明された方法の前記ステップを実行するようにプログラムされるコンピュータを対象として含むことも意図している。
【００７１】
「プロセッサ」または「ロジック」としてラベル付けされた任意の機能ブロックを含めて、図面に示される様々な要素についての機能は、専用のハードウェア、ならびに適切なソフトウェアに関連してソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来のものおよび／またはカスタムのものもまた、含められる可能性がある。同様に、図面に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からもっと具体的に理解されるように、実装者によって選択可能である。
【００７２】
本明細書における任意のブロック図は、本発明の原理を実施する実例となる回路の概念図を表すことが、当業者によって理解されるべきである。同様に、任意のフロー・チャート、流れ図、状態遷移図、擬似コードなどは、コンピュータ読み取り可能媒体の形で実質的に表され、したがって、コンピュータまたはプロセッサによって、そのようなコンピュータまたはプロセッサが明示的に示されているか否かにかかわらず、実行され得る様々なプロセスを表すことが、理解されるであろう。
【００７３】
説明および図面は、単に本発明の原理を示しているにすぎない。したがって、当業者なら、本明細書において明示的に説明されても、または示されてもいないけれど、本発明の原理を実施し、また本発明の精神および範囲内に含まれる様々な構成を考案することができるようになることが理解されるであろう。さらに、本明細書において列挙されるすべての例は、主として、本発明者が当技術を推進することに寄与している本発明の原理および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
0006483807.tif 000002
【図２】
0006483807.tif 000003
【図３】
0006483807.tif 000004
【図４】
0006483807.tif 000005
【図５】
0006483807.tif 000006
【図６】
0006483807.tif 000007